(57)【要約】【課題】パレットの上面デッキを容易に分解可能な構成とすること。【解決手段】並列配置された長尺材１１に、前枠部材１２、後枠部材１３、補強材１６、左枠部材１４および右枠部材１５を取り付けたのちに、並列配置された長尺材１１の左側または右側から、上面デッキ１０の前側、中央部、後側において連通する連結棒挿通孔群へ連結棒１７を差し入れ、差し入れた連結棒１７の両端にナット１８を取り付ける。すると、並列配置された長尺材１１が連結され、上面デッキ１０が組み上がる。また、上面デッキ１０を分解するには、連結棒１７に取り付けられたナット１８を取り外して連結棒１７を連結棒挿通孔群から引き抜く。そして、左枠部材１４および右枠部材１５を取り外し、続いて前枠部材１２、後枠部材１３および補強材１６を取り外す。【選択図】図２
2005075440.tif 000002
【特許請求の範囲】
【請求項１】
並列配置された複数の長尺材と、当該長尺材同士を連結することなく前記並列配置した複数の長尺材を連結する連結部材とを有する上面デッキと、
前記上面デッキの下方に対向して配された下面デッキと、
対向する前記上面デッキおよび前記下面デッキを連結する支柱と、
を備え、
前記連結部材は、
前記並列配置された複数の長尺材が各長尺材の長手方向へ移動するのを規制する長手方向移動規制部と、
前記並列配置された複数の長尺材のうち最も外側に位置する長尺材がさらに外側へ移動するのを規制する外側方向移動規制部と、
前記並列配置された複数の長尺材が前記上面デッキの上下方向へ移動するのを規制する上下方向移動規制部と、
を有し、
前記長手方向移動規制部、前記外側方向移動規制部、および前記上下方向移動規制部が協働して前記並列配置された複数の長尺材の移動を規制する場合には、長尺材同士を連結することなく前記並列配置された複数の長尺材を連結し、一方、前記長手方向移動規制部、前記外側方向移動規制部、および前記上下方向移動規制部の少なくとも何れかが前記長尺材の移動規制を解除した場合には、前記並列配置された複数の長尺材を分解可能とすること
を特徴とするパレット。
【請求項２】
請求項１記載のパレットにおいて、
前記長手方向移動規制部および前記上下方向移動規制部は、前記並列配置された複数の長尺材をその並列方向に貫通する棒材であり、
前記外側方向移動規制部は、前記並列配置された複数の長尺材のうち最も外側に位置する長尺材それぞれに対向するよう配された一対の対向部材であり、
前記棒材の両端それぞれには、雄ねじ部または雌ねじ部の何れかが形成され、
一方、前記一対の対向部材には、前記棒材の両端それぞれに形成されたねじ部に対応する雌ねじ部または雄ねじ部の何れかがそれぞれ形成されていること
を特徴とするパレット。
【請求項３】
請求項２記載のパレットにおいて、
前記棒材の両端それぞれには、雄ねじ部または雌ねじ部の何れかが互いに巻き方向が異なるよう形成されていることを特徴とするパレット。
【請求項４】
並列配置された複数の長尺材と長尺材同士を連結することなく前記並列配置した複数の長尺材を連結する連結部材とを有する上面デッキと、
前記上面デッキの下方に対向して配された下面デッキと、
対向する前記上面デッキおよび前記下面デッキを連結する支柱と、
を備え、
前記連結部材は、
前記並列配置された複数の長尺材のうち最も外側に位置する長尺材を隣接する長尺材の方へそれぞれ押圧することにより、前記並列配置された長尺材が、各長尺材の長手方向、前記並列配置された複数の長尺材における並列方向、または前記上面デッキの上下方向の何れかに移動するのを規制する押圧部を有し、
前記押圧部が前記並列配置された複数の長尺材の移動を規制する場合には、長尺材同士を連結することなく前記並列配置された複数の長尺材を連結し、一方、前記押圧部が前記長尺材の移動規制を解除した場合には、前記並列配置された複数の長尺材を分解可能とすること
を特徴とするパレット。
【請求項５】
請求項１〜請求項４の何れかに記載のパレットにおいて、
前記長尺材の断面は、中空な形状または中空な部分を外部に開放した形状であることを特徴とするパレット。
【発明の詳細な説明】
【技術分野】
【０００１】
本発明は、パレットの上面デッキを容易に分解可能な構成とする技術に関する。
【背景技術】
【０００２】
従来より、略方形の上面デッキと、上面デッキの下方に対向して配された略方形の下面デッキと、対向する上面デッキの隅部および下面デッキの隅部を連結する支柱と、を備える金属製のパレットが知られている。このようなパレットの中には、上面デッキを、隣り合う部材部材同士や重なり合う部材同士を、ボルト締めや溶接、リベット加工などにより接合することにより構成するものがある（例えば、特許文献１参照。）。
【特許文献１】特開２００３−１９１９５４号公報（第３，４頁、図１）
【発明の開示】
【発明が解決しようとする課題】
【０００３】
しかし、上述のようなパレットにおいては、上面デッキを、隣り合う部材同士や重なり合う部材同士をボルト締めなどで接合することにより構成しているため、廃棄時など上面デッキを分解する場合に、全ての部材同士の接合部分を分離するのに手間がかかっていた。特に、部材同士を溶接やリベット加工などで接合された接合部分については分離が困難であり、上面デッキの分解により手間がかかる一因となっていた。
【０００４】
本発明は、このような不具合に鑑みなされたものであり、その目的とするところは、パレットの上面デッキを容易に分解可能な構成とする技術を提供することにある。
【課題を解決するための手段】
【０００５】
上記課題を解決するためになされた請求項１に係るパレットでは、上面デッキ（１０：この欄においては、発明に対する理解を容易にするため、必要に応じて「発明を実施するための最良の形態」欄で用いた符号を付すが、この符号によって請求の範囲を限定することを意味するものではない。）と、上面デッキの下方に対向して配された下面デッキ（２０）と、対向する上面デッキおよび下面デッキを連結する支柱（３０）と、を備え、上面デッキが、並列配置された（つまり、その長手方向に対して直交する方向に並べられた）複数の長尺材（１１）と連結部材（１７，１８）とを有している。ここで連結部材とは、長尺材同士を連結することなく、並列配置した複数の長尺材を連結するものである。具体的には、連結部材は、並列配置された複数の長尺材が各長尺材の長手方向へ移動するのを規制する「長手方向移動規制部」（１７）と、並列配置された複数の長尺材のうち最も外側に位置する長尺材がさらに外側へ移動するのを規制する「外側方向移動規制部」（１８）と、並列配置された複数の長尺材が前記上面デッキの上下方向へ移動するのを規制する「上下方向移動規制部」（１７）と、を有している。そして、これら各移動規制部が次のように作用する。すなわち、各移動規制部が協働して並列配置された複数の長尺材の移動を規制する場合には、長尺材同士を連結することなく、並列配置された複数の長尺材を連結する。一方、各移動規制部の少なくとも何れかが長尺材の移動規制を解除した場合には、並列配置された複数の長尺材を分解可能となる。
【０００６】
このことにより本発明のパレット（１）では、従来のパレットのように上面デッキの構成部材同士を接合する場合に比べて、パレットの上面デッキを容易に分解可能とすることができる。
【０００７】
この場合、上述の並列配置された複数の長尺材については、並列に配置する際に長尺材同士が互いに接触するよう配置してもよいし、長尺材同士が接触しないよう間隔を置いて配置してもよい。
【０００８】
なお、上面デッキの形状は、円形や、略方形などの多角形など様々に構成することが考えられる。
また、上述の各移動規制部の具体例としては次のようなものが考えられる。すなわち、長手方向移動規制部および上下方向移動規制部が、並列配置された複数の長尺材をその並列方向に貫通する棒材であり、外側方向移動規制部が、並列配置された複数の長尺材のうち最も外側に位置する長尺材それぞれに対向するよう配された一対の対向部材であり、棒材の両端それぞれには、雄ねじ部または雌ねじ部の何れかが形成され、一方、一対の対向部材には、棒材の両端それぞれに形成されたねじ部に対応する雌ねじ部または雄ねじ部の何れかがそれぞれ形成されていることが考えられる（請求項２）。このようにすれば、並列配置された複数の長尺材を貫通する棒材が、各長尺材が長手方向および上下方向に移動するのを規制するとともに、棒材の両端に取り付けられた一対の対向部材が、最も外側に位置する長尺材がさらに外側へ移動するのを規制する。なお、一対の対向部材が、複数の長尺材のうち最も外側に位置する長尺材の一方を他方の長尺材の方へ押圧するようにしてもよい。この場合、対向部材は押圧部材でもある。一方、棒材から対向部材を取り外せば、その取り外した対向部材に対向していた長尺材から順に長尺材を上面デッキから分離させることができる。
【０００９】
この場合、上述の棒材の両端それぞれには、雄ねじ部または雌ねじ部の何れかを互いに巻き方向が異なるよう形成することが考えられる（請求項３）。このことにより次のような作用を奏する。すなわち、互いに対応する雄ねじ部と雌ねじ部とが対向するよう棒材および一対の対向部材を配した状態において棒材を所定方向に回転させると、各雄ねじ部が、対向する雌ねじ部に取り付けられて棒材と対向部材とを連結する。一方、棒材と対向部材とが連結した状態において棒材を逆方向に回転させると、各雄ねじ部が、取り付けられた雌ねじ部から外れて棒材と対向部材とが分離する。このことにより、並列配置された複数の長尺材を強固に連結することができるとともに、棒材と対向部材とをさらに容易に分解可能とすることができる。
【００１０】
ところで、上述のようなパレットでは、上面デッキにおいて、隣り合う長尺材同士を連結することなく、並列配置された複数の長尺材を連結するためには、連結部材が、長手方向移動規制部、外側方向移動規制部および上下方向移動規制部を備える必要があり、その構造が複雑になる。そこで、請求項４のように、連結部材が、上述の各移動規制部を有する代わりに、並列配置された複数の長尺材のうち最も外側に位置する長尺材を隣接する長尺材の方へそれぞれ押圧することにより、並列配置された複数の長尺材が、各長尺材の長手方向、並列配置された複数の長尺材における並列方向、または上面デッキの上下方向の何れかに移動するのを規制する押圧部（１２１）を有することが考えられる。そしてこの押圧部が次のように作用する。すなわち、押圧部が、上述のように並列配置された複数の長尺材の移動を規制する場合には、長尺材同士を連結することなく、並列配置された複数の長尺材を連結する。一方、押圧部が長尺材の移動規制を解除した場合には、並列配置された複数の長尺材を分解可能となる。
【００１１】
このことにより本発明のパレットでは、連結部材が各移動規制部を有するパレットと同様に、従来のパレットのように上面デッキの構成部材同士を接合する場合に比べて、パレットの上面デッキを容易に分解可能とすることに加えて、連結部材が各移動規制部を有するパレットに比べてその構造を単純とすることができる。
【００１２】
なお、連結部材が各移動規制部を有するパレット（以下、パレットＡと称す。）と、連結部材が押圧部材を有するパレット（以下、パレットＢと称す。）とを比較すると、それぞれ次のような有利な点がある。すなわち、パレットＡでは、各移動規制部が長尺材の移動を規制しており、パレットＢのような押圧力が複数の長尺材に作用していないので、長尺材が変形するおそれがない。また、パレットＢでは、並列配置された複数の長尺材のうち最も外側に位置する長尺材を隣接する長尺材の方へそれぞれ押圧する押圧部を備えており、パレットＡのような各移動規制部を備えていないので、その分パレットＡに比べてその構造を単純とすることができる。
【００１３】
また、上述の長尺材については、次のように構成することが考えられる。すなわち、(イ)長尺材が中実（１１１）であることが考えられる。また、(ロ)長尺材の断面が、中空な形状（１１２）または中空な部分を外部に開放した形状（１１，１１３，１１４，１１５）であることが考えられる（請求項５）。このようにすれば、パレットの強度を保ちながら、長尺材が中実である場合に比べて、上面デッキを軽量化することができる。
【００１４】
ところで、上面デッキおよび下面デッキにおける支柱が連結する部分、および支柱を次のように構成することが考えられる。すなわち、支柱を棒材で構成するとともに、支柱の両端に、雄ねじ部または雌ねじ部の何れかを互いに巻き方向が異なるよう形成し、一方、上面デッキおよび下面デッキにおける支柱が連結する部分には、支柱の両端それぞれに形成されたねじ部に対応する雌ねじ部または雄ねじ部の何れかをそれぞれ形成することが考えられる。このように構成することにより次のような作用を奏する。すなわち、互いに対応する雄ねじ部と雌ねじ部とが対向するよう上面デッキ、下面デッキおよび支柱を配した状態において支柱を所定方向に回転させると、各雄ねじ部が、対向する雌ねじ部に取り付けられ、支柱によって上面デッキと下面デッキとが連結される。一方、支柱によって上面デッキと下面デッキとが連結した状態において支柱を逆方向に回転させると、各雄ねじ部が、取り付けられた雌ねじ部から外れて上面デッキおよび下面デッキが支柱から分離する。このことにより、支柱によって上面デッキと下面デッキとを強固に連結するとともに、支柱によって上面デッキと下面デッキとを容易に分解可能とすることができる。
【００１５】
なお、このことは、上面デッキが、上述のように並列配置された複数の長尺材を連結部材によって連結する構成である場合だけでなく、様々な構成の上面デッキに対しても同様である。
【００１６】
ところで、少なくとも上面デッキを構成する各部材を、木材や樹脂材にて構成することが考えられる。しかし、このような場合、パレットの強度や耐用性に問題がある。そこで、少なくとも上面デッキを構成する各部材が、金属で構成されているが考えられる。このようにすれば、パレットを木材や樹脂材で構成した場合に比べてパレットの強度が増し、重量物の運搬や保管が可能となる。また、パレットを木材で構成した場合に比べて腐りにくく、耐用性が向上する。
【発明を実施するための最良の形態】
【００１７】
以下、本発明が適用された実施例について図面を用いて説明する。なお、本発明の実施の形態は、下記の実施例に何ら限定されることなく、本発明の技術的範囲に属する限り種々の形態を採りうる。
【００１８】
図１は実施例のパレット１を示す概略説明図である。このパレット１は、図１に示すように、略方形の上面デッキ１０、下面デッキ２０、および対向する上面デッキ１０および下面デッキ２０を連結する６つの支柱３０から構成されている。なお、以降、このパレット１において、並列配置された複数の長尺材１１の長手方向のうち前枠部材１２が配されている側を「前側」とし、後枠部材１３が配されている側を「後側」とする。また、上面デッキ１０において左枠部材１４が配されている側を「左側」とし、上面デッキ１０において右枠部材１５が配されている側を「右側」とし、上面デッキ１０の上側を「上側」とし、上面デッキ１０の下側を「下側」とする。
【００１９】
また、図２は、実施例のパレット１の上面デッキ１０を示す説明図である。また、図３は、実施例のパレット１の下面デッキ２０および支柱３０を示す説明図である。
［上面デッキ１０の構成の説明］
このうち上面デッキ１０は、図２に示すように、並列配置された（つまり、その長手方向に対して直交する方向に並べられた）５本の長尺材１１と、並列配置された長尺材１１の四辺に取り付けられる前枠部材１２、後枠部材１３、左枠部材１４および右枠部材１５と、左枠部材１４と右枠部材１５とに掛け渡して上面デッキ１０を補強するための２つの補強材１６と、並列配置された長尺材１１に貫通させてこれら長尺材１１を連結するための３つの連結棒１７とから構成される。なお、これら上面デッキ１０を構成する各部材は金属製である。
【００２０】
なお、本実施例では、図１に示すように、上面デッキ１０が５本の長尺材１１を備えているが、これには限られず、様々な本数の長尺材１１を備えてもよい。また、図２では、並列配置された５本の長尺材１１のうち、中央に位置する３本の長尺材１１について図示を省略している。
【００２１】
長尺材１１は、図２に示すように、互いに平行に配された３枚の平板１１ａを、２枚の連結板１１ｂによって連結した略Ｓ字状の断面を有している。なお、この長尺材１１の断面は、特許請求の範囲における「中空な部分を外部に開放した形状」に該当する。また、長尺材１１の両端および中央部には、連結棒１７を挿通させるための連結棒挿通孔１１ｃが３枚の平板１１ａを貫通するよう設けられている。なお、連結棒挿通孔１１ｃの内径は、連結棒１７の外径よりも大きく設定されている。さらに、５本の長尺材１１が並列配置された際に上面デッキ１０における最も外側に位置する長尺材１１には、上面デッキ１０が支柱３０を介して下面デッキ２０に取り付けられる際に、支柱３０の先端部が挿通される支柱挿通孔（図示省略）が連結板１１ｂに設けられている。なお、支柱挿通孔の内径は、支柱３０の先端部３０ａの外径よりも大きく設定されている。
【００２２】
また、前枠部材１２は、断面略コの字状の長尺部材であり、コの字の中央部分１２ａと、その両側の位置する両翼部分１２ｂとから構成されている。この前枠部材１２の長さは、並列配置された長尺材１１の並列方向の幅とほぼ等しく設定されている。なお、両翼部分１２ｂの間の幅は、並列配置された長尺材１１を両翼部分１２ｂの間に差し入れた際に、長尺材１１の上下面との間に若干の隙間が生じるよう設定されている。また、前枠部材１２の両端には、上面デッキ１０が支柱３０を介して下面デッキ２０に取り付けられる際に支柱３０の先端部が挿通される支柱挿通孔１２ｃが、両翼部分１２ｂに互いに対向するよう設けられている。なお、支柱挿通孔１２ｃの内径は、支柱３０の先端部３０ａの外径よりも大きく設定されている。
【００２３】
なお、後枠部材１３は、前枠部材１２とは前後対称に構成されているので、ここでは詳細な説明は省略する。
さらに、左枠部材１４は、断面略コの字状の長尺部材であり、コの字の中央部分１４ａと、その両側の位置する両翼部分１４ｂとから構成されている。この左枠部材１４の長さは、長尺材１１の長手方向の長さとほぼ等しく設定されている。なお、両翼部分１４ｂの間の幅は、前枠部材１２および後枠部材１３が取り付けられた状態の並列配置された長尺材１１の側部を両翼部分１４ｂの間に差し入れた際に、前枠部材１２および後枠部材１３の上下面との間に若干の隙間が生じるよう設定されている。また、左枠部材１４には、前枠部材１２および後枠部材１３が取り付けられた状態の並列配置された長尺材１１の側部を両翼部分１４ｂの間に差し入れた際に、最も左端に位置する長尺材１１の連結棒挿通孔１１ｃに連通する連結棒挿通孔１４ｃが中央部分１４ａに設けられている。なお、連結棒挿通孔１４ｃの内径は、連結棒１７の外径よりも大きく設定されている。さらに、左枠部材１４の両端および中央部には、上面デッキ１０が支柱３０を介して下面デッキ２０に取り付けられる際に、前枠部材１２の支柱挿通孔１２ｃや後枠部材１３の支柱挿通孔１３ｃに連通し、且つ支柱３０の先端部が挿通される支柱挿通孔１４ｄが、両翼部分１４ｂに互いに対向するよう設けられている。なお、支柱挿通孔１４ｄの内径は、支柱３０の先端部３０ａの外径よりも大きく、且つ支柱３０の外径よりも小さく設定されている。また、連結棒挿通孔１４ｃの位置と支柱挿通孔１４ｄの位置とは、左枠部材１４の両端または中央部それぞれにおいて、連結棒挿通孔１４ｃに挿通させた連結棒１７と、支柱挿通孔１４ｄに挿通させた支柱３０の先端部３０ａとが干渉しないよう設定されている。
【００２４】
なお、右枠部材１５は、左枠部材１４とは左右対称に構成されているので、ここでは詳細な説明は省略する。
また、補強材１６は、その長さが前枠部材１２および後枠部材１３の長さとほぼ等しい平板である。この補強材１６の両端には、上面デッキ１０の上面または下面に取り付けられた際に、左枠部材１４の中央部に設けられた支柱挿通孔１４ｄおよび右枠部材１５の中央部に設けられた支柱挿通孔１５ｄに連通し、且つ支柱３０の先端部が挿通される支柱挿通孔１６ａが設けられている。なお、支柱挿通孔１６ａの内径は、支柱３０の先端部３０ａの外径よりも大きく設定されている。
【００２５】
また、連結棒１７は、その側面に雄ねじ部が形成された棒鋼である。なお、図１において、連結棒１７の側面に形成された雄ねじ部の図示を省略している。この連結棒１７の長さは、並列配置された長尺材１１に前枠部材１２および後枠部材１３を取り付けたのちに、左枠部材１４および右枠部材１５を取り付けた場合における、上面デッキ１０の左右方向の幅よりも若干長く設定されている。
【００２６】
［下面デッキ２０および支柱３０の構成の説明］
ところで、下面デッキ２０は、図３に示すように、上面デッキ１０の下方に取り付けられる、左枠部材２１、右枠部材２２、前枠部材２３、中枠部材２４および後枠部材２５から構成される。なお、これら下面デッキ２０を構成する各部材は金属製である。
【００２７】
このうち、左枠部材２１は、その長さが上面デッキ１０の左枠部材１４および右枠部材１５の長さとほぼ等しい平板である。この左枠部材２１の両端および中央部には、下面デッキ２０が支柱３０を介して上面デッキ１０に取り付けられる際に、支柱３０の先端部３０ａが挿通される支柱挿通孔２１ａが設けられている。なお、支柱挿通孔２１ａの内径は、支柱３０の先端部３０ａの外径よりも大きく、且つ支柱３０の外径よりも小さく設定されている。
【００２８】
なお、右枠部材２２は、左枠部材２１とは左右対称に構成されているので、ここでは詳細な説明は省略する。
また、前枠部材２３は、その長さが前枠部材１２の長さとほぼ等しい平板である。この前枠部材２３の両端には、下面デッキ２０が支柱３０を介して上面デッキ１０に取り付けられる際に、左枠部材２１の前側に設けられた支柱挿通孔２１ａに連通し、且つ支柱３０の先端部３０ｂが取り付けられる支柱取付孔２３ａ、および右枠部材２２の前側に設けられた支柱挿通孔２２ａに連通し、且つ支柱３０の先端部３０ｂが取り付けられる支柱取付孔２３ｂがそれぞれ設けられている。なお、これら支柱取付孔２３ａ，２３ｂの内壁には、支柱３０の先端部３０ａに対応する雌ねじ部が形成されている。
【００２９】
さらに、中枠部材２４は、その長さが前枠部材２３の長さとほぼ等しい平板である。この中枠部材２４の両端には、下面デッキ２０が支柱３０を介して上面デッキ１０に取り付けられる際に、左枠部材２１の中央部に設けられた支柱挿通孔２１ａに連通し、且つ支柱３０の先端部３０ｂが取り付けられる支柱取付孔２４ａ、および右枠部材２２の中央部に設けられた支柱挿通孔２２ａに連通し、且つ支柱３０の先端部３０ｂが取り付けられる支柱取付孔２４ｂがそれぞれ設けられている。なお、これら支柱取付孔２４ａ，２４ｂの内壁には、支柱３０の先端部３０ａに対応する雌ねじ部が形成されている。
【００３０】
また、後枠部材２５は、その長さが前枠部材２３および中枠部材２４の長さとほぼ等しい平板である。この後枠部材２５の両端には、下面デッキ２０が支柱３０を介して上面デッキ１０に取り付けられる際に、左枠部材２１の後側に設けられた支柱挿通孔２１ａに連通し、且つ支柱３０の先端部３０ｂが取り付けられる支柱取付孔２５ａ、および右枠部材２２の後側に設けられた支柱挿通孔２２ａに連通し、且つ支柱３０の先端部３０ｂが取り付けられる支柱取付孔２５ｂがそれぞれ設けられている。なお、これら支柱取付孔２５ａ，２５ｂの内壁には、支柱３０の先端部３０ａに対応する雌ねじ部が形成されている。
【００３１】
また、支柱３０は棒鋼であり、その両端には、先端部３０ａおよび先端部３０ｂが形成されている。なお、先端部３０ａの長さは、上面デッキ１０の厚みよりも若干長く設定されている。また、先端部３０ｂの長さは、下面デッキ２０の厚みとほぼ等しく設定されている。そして、これら先端部３０ａおよび先端部３０ｂには雄ねじ部がそれぞれ形成されている。
【００３２】
［パレット１の組み立て手順の説明］
次に、パレット１の組み立て手順を、図１、図２および図３を参照して説明する。
(イ)上面デッキ１０を組み立てる。すなわち、図２に示すように、５本の長尺材１１を隣り合う長尺材１１の平板１１ａ同士が接触し、且つ連結棒挿通孔１１ｃ同士が連通するよう並列配置する。
【００３３】
続いて、並列配置された長尺材１１の前側に、前枠部材１２を取り付ける。具体的には、前枠部材１２を、その両翼部分１２ｂの間に形成された空間部分が、並列配置された長尺材１１の前側に対向する姿勢とする。そして、上面デッキ１０における最も外側に位置する長尺材１１の前側の支柱挿通孔（図示省略）と前枠部材１２の支柱挿通孔１２ｃとが連通するように、その前枠部材１２の空間部分に、並列配置された長尺材１１の前側を差し入れる。
【００３４】
続いて、同様に、並列配置された長尺材１１の後側に後枠部材１３を取り付ける。具体的には、後枠部材１３を、その両翼部分１３ｂの間に形成された空間部分が、並列配置された長尺材１１の後側に対向する姿勢とする。そして、上面デッキ１０における最も外側に位置する長尺材１１の後側の支柱挿通孔（図示省略）と後枠部材１３の支柱挿通孔１３ｃとが連通するように、その後枠部材１３の空間部分に、並列配置された長尺材１１の後側を差し入れる。
【００３５】
続いて、上面デッキ１０の上側および下側それぞれに補強材１６を取り付ける。具体的には、上面デッキ１０の上側および下側それぞれにおいて、上面デッキ１０における最も外側に位置する長尺材１１の中央部の支柱挿通孔（図示省略）と補強材１６の支柱挿通孔１６ａとが連通するように、補強材１６をそれぞれ配置する。
【００３６】
続いて、並列配置された長尺材１１の左側に左枠部材１４を取り付ける。具体的には、左枠部材１４を、その両翼部分１４ｂの間に形成された空間部分が、並列配置された長尺材１１の左側に対向する姿勢とする。そして、左枠部材１４の連結棒挿通孔１４ｃが長尺材１１の連結棒挿通孔１１ｃと連通し、且つ左枠部材１４の支柱挿通孔１４ｄが、左枠部材１４の両端および中央部において、前枠部材１２の支柱挿通孔１２ｃ、後枠部材１３の支柱挿通孔１３ｃ、補強材１６の支柱挿通孔１６ａおよび長尺材１１の支柱挿通孔（図示省略）と連通するように、その左枠部材１４の空間部分に、並列配置された長尺材１１の左側を差し入れる。
【００３７】
続いて、並列配置された長尺材１１の右側に右枠部材１５を取り付ける。具体的には、右枠部材１５を、その両翼部分１５ｂの間に形成された空間部分が、並列配置された長尺材１１の右側に対向する姿勢とする。そして、右枠部材１５の連結棒挿通孔１５ｃが長尺材１１の連結棒挿通孔１１ｃと連通し、且つ右枠部材１５の支柱挿通孔１５ｄが、右枠部材１５の両端および中央部において、前枠部材１２の支柱挿通孔１２ｃ、後枠部材１３の支柱挿通孔１３ｃ、補強材１６の支柱挿通孔１６ａおよび長尺材１１の支柱挿通孔（図示省略）と連通するように、その右枠部材１５の空間部分に、並列配置された長尺材１１の右側を差し入れる。
【００３８】
続いて、並列配置された長尺材１１の左側または右側から、上面デッキ１０の前側、中央部、後側において連通する連結棒挿通孔群へ連結棒１７を差し入れ、差し入れた連結棒１７の両端にナット１８を取り付ける。このことにより、連結棒１７および連結棒１７の先端に取り付けられたナット１８が協働して、連結棒１７が、パレット１の前後方向およびパレット１の上下方向へ長尺材１１が移動するのを規制するとともに、連結棒１７の先端に取り付けられたナット１８が、左枠部材１４および右枠部材１５を介してパレット１の左右方向へ長尺材１１が移動するのを規制する。なお、連結棒１７およびナット１８は連結部材に該当する。また、連結棒１７は、長手方向移動規制部および上下方向移動規制部に該当し、ナット１８は、外側方向移動規制部および対向部材に該当する。
【００３９】
(ロ)下面デッキ２０および支柱３０を組み立てる。すなわち、まず、図３に示すように、前枠部材２３、中枠部材２４、後枠部材２５を、パレット１の前側から後側へ順に、互いに平行となるように所定の間隔にて配置する。
【００４０】
続いて、左枠部材２１を、左枠部材２１の両端および中央部に設けられた支柱挿通孔２１ａが、前枠部材２３の支柱取付孔２３ａ、中枠部材２４の支柱取付孔２４ａおよび後枠部材２５の支柱取付孔２５ａに連通するように取り付ける。そして、左枠部材２１の両端および中央部において、支柱３０の先端部３０ｂを左枠部材２１の上方から左枠部材２１の支柱挿通孔２１ａへ差し入れ、前枠部材２３の支柱取付孔２３ａ、中枠部材２４の支柱取付孔２４ａおよび後枠部材２５の支柱取付孔２５ａにそれぞれ取り付ける。
【００４１】
続いて、右枠部材２２を、右枠部材２２の両端および中央部に設けられた支柱挿通孔２２ａが、前枠部材２３の支柱取付孔２３ｂ、中枠部材２４の支柱取付孔２４ｂおよび後枠部材２５の支柱取付孔２５ｂに連通するように取り付ける。そして、右枠部材２２の両端および中央部において、支柱３０の先端部３０ｂを右枠部材２２の上方から右枠部材２２の支柱挿通孔２２ａへ差し入れ、前枠部材２３の支柱取付孔２３ｂ、中枠部材２４の支柱取付孔２４ｂおよび後枠部材２５の支柱取付孔２５ｂにそれぞれ取り付ける。
【００４２】
(ハ)上面デッキ１０および下面デッキ２０を連結する。すなわち、図１に示すように、上面デッキ１０の前側、中央部、後側において連通する支柱挿通孔群それぞれへ支柱３０の先端部３０ａを上面デッキ１０の下側から差し入れ、差し入れた支柱３０の先端部３０ａにナット１８を取り付ける。
【００４３】
以上のように、上面デッキ１０および下面デッキ２０が連結されると、図１に示すようなパレット１が組み上がる。
さて、上述のように組み立てられたパレット１は、組み立てとは逆の手順により分解することができる。具体的には、まず、上面デッキ１０と下面デッキとを次のように分離する。すなわち、支柱３０の先端部３０ａに取り付けられたナット１８を取り外して支柱３０の先端部３０ａを支柱挿通孔群から引き抜く。すると、上面デッキ１０および下面デッキ２０が分離される。
【００４４】
続いて、上面デッキ１０を次のように分解する。すなわち、上面デッキ１０において、連結棒１７に取り付けられたナット１８を取り外して連結棒１７を連結棒挿通孔群から引き抜く。そして、左枠部材１４および右枠部材１５を取り外し、続いて前枠部材１２、後枠部材１３および補強材１６を取り外す。すると、上面デッキ１０が分解される。
【００４５】
続いて、下面デッキ２０を分解する。すなわち、支柱３０を回転させて支柱３０の先端部３０ｂを前枠部材２３、中枠部材２４および後枠部材２５の各支柱取付孔から取り外し、支柱３０の先端部３０ｂを左枠部材２１および右枠部材２２の各支柱挿通孔から引き抜く。すると、下面デッキ２０が分解される。
【００４６】
［効果］
このように実施例のパレット１によれば、並列配置された長尺材１１の左側または右側から、上面デッキ１０の前側、中央部、後側において連通する連結棒挿通孔群へ連結棒１７を差し入れ、差し入れた連結棒１７の両端にナット１８を取り付けることにより、並列配置された長尺材１１が連結されている。このことにより、連結棒１７および連結棒１７の先端に取り付けられたナット１８が協働して、連結棒１７が、パレット１の前後方向およびパレット１の上下方向へ長尺材１１が移動するのを規制するとともに、連結棒１７の先端に取り付けられたナット１８が、左枠部材１４および右枠部材１５を介してパレット１の左右方向へ長尺材１１が移動するのを規制する。また、上面デッキ１０は次のように分解する。すなわち、上面デッキ１０において、連結棒１７に取り付けられたナット１８を取り外して連結棒１７を連結棒挿通孔群から引き抜く。そして、左枠部材１４および右枠部材１５を取り外し、続いて前枠部材１２、後枠部材１３および補強材１６を取り外す。すると、上面デッキ１０が分解される。このように、従来のパレットのように上面デッキの構成部材同士を接合する場合に比べて、パレット１の上面デッキ１０を容易に分解可能とすることができる。
【００４７】
また、上面デッキ１０においては、略Ｓ字状の断面を有する長尺材１１を用いているので、パレット１の強度を保ちながら、長尺材が中実である場合に比べて上面デッキ１０を軽量化することができる。
【００４８】
さらに、上面デッキ１０においては、補強材１６を、支柱３０を介して左枠部材１４および右枠部材１５と連結しているので、上面デッキ１０の強度を高めることができる。
また、パレット１を構成する各部材を金属で構成したので、パレット１を構成する各部材を木材や樹脂材で構成した場合に比べてパレット１の強度が増し、重量物の運搬や保管が可能となる。また、パレット１を構成する各部材を木材で構成した場合に比べて腐りにくく、耐用性が向上する。
【００４９】
［別実施例］
（１）上記実施例の上面デッキ１０では、略Ｓ字状の断面を有する長尺材１１を用いているが、これに限られず、様々な断面形状を有する長尺材を用いることが考えられる。例えば、図４(ａ)に例示するように、中実材である長尺材１１１を用いてもよい。このようにすれば、上面デッキ１０の強度を高めることができる。
【００５０】
（２）また、図４(ｂ)に例示するように、中空材である長尺材１１２を用いてもよい。さらに、中空な部分を外部に開放した断面形状を有する長尺材を用いてもよい。このようにすれば、上記実施例と同様に、パレット１の強度を保ちながら、長尺材が中実である場合に比べて上面デッキ１０を軽量化することができる。一例を挙げると、図４(ｃ)に例示するように、断面略コの字状の長尺材１１３が挙げられる。また、図４（ｄ）に例示するような、断面略コの字状であり、その両翼部分の先端が内側へ向けて折り返された断面形状を有する長尺材１１４が挙げられる。このような断面形状を有する長尺材１１４を用いれば、上面デッキ１０の強度を高めることができる。また、図４（ｅ）に例示するような、略山型の断面形状を有する長尺材１１５が挙げられる。このような断面形状を有する長尺材１１５を用いれば、上面デッキ１０を分解した後に、長尺材１１５の中空部分に他の長尺材１１５の山型部分を差し入れることにより、複数の長尺材１１５を積み重ねることができ、分解後のパレット１を置く場所をとらない。
【００５１】
（３）上記実施例の上面デッキ１０の形状は略方形であるが、これには限られず、例えば上面デッキ１０を円形や、五角形などの多角形など他の形状にしてもよい。
また、上面デッキ１０の形状や大きさに応じて、長尺材１１の本数や連結棒１７の本数、支柱３０の本数を増減させてもよい。一例を挙げると、図５に例示するように、左枠部材２１と右枠部材２２との間に左枠部材２１と同様の中間部材２６を配置し、その中間部材２６と上面デッキ１０とを、支柱３０を介して連結するといった具合である。また、図５に例示するように、上面デッキ１０を、並列配置された長尺材１１を上面デッキ１０の前後方向に複数並べることにより構成してもよい。ただし、この場合には、例えば、連結棒挿通孔などの連結棒１７を上面デッキ１０に取り付けるための構成や、支柱挿通孔などの支柱３０を取り付けるための構成を適宜設ける必要がある。
【００５２】
また、上記実施例では、長尺材１１を並列に配置する際に、複数の長尺材１１同士が互いに接触するよう配置しているが、これには限られず、長尺材１１を並列に配置する際には、複数の長尺材１１を互いに間隔を置いて配置してもよい。この場合、図４（ｉ）に例示するように、隣り合う長尺材１１５同士の間それぞれに、円管１４１を、その中空部分が長尺材１１５に設けられた連結棒挿通孔（図示省略）に連通するように配置し、連通する連結棒挿通孔群および円管１４１の中空部分へ連結棒１７を差し入れ、差し入れた連結棒１７の両端にナット１８を取り付けてもよい。
【００５３】
(４)上記実施例では、並列配置された長尺材１１の左側または右側から、上面デッキ１０の前側、中央部、後側において連通する連結棒挿通孔群へ連結棒１７を差し入れ、差し入れた連結棒１７の両端にナット１８を取り付けることにより、並列配置された長尺材１１が連結されているが、これには限られず、並列配置された長尺材１１を両側から押圧することにより連結してもよい。一例を挙げると、(イ)上記実施例において、連結棒１７の両端にナット１８を取り付ける際に強く締めることにより、並列配置された長尺材１１を両側から押圧することが考えられる。この場合、連結棒１７および連結棒１７の先端に取り付けられたナット１８が協働して、パレット１の前後方向、パレット１の左右方向またはパレット１の上下方向の何れかへ長尺材１１が移動するのを規制する。このように構成しても上記実施例と同様の作用効果を奏する。
【００５４】
また、(ロ)図４(ｆ)に例示するように、断面略コの字状の長尺部材であり、コの字の中央部分１２１ａと、その両側の位置する両翼部分１２１ｂとから構成されている連結部材１２１を、両翼部分１２１ｂが、並列配置された長尺材１１を両側から押圧するよう配置させることが考えられる。この場合、連結部材１２１の中央部分１２１ａおよび両翼部分１２１ｂが協働して、パレット１の前後方向、パレット１の左右方向またはパレット１の上下方向の何れかへ長尺材１１が移動するのを規制する。また、連結部材１２１を上面デッキ１０から取り外せば、その取り外した連結部材１２１が押圧していた長尺材１１から順に長尺材１１を上面デッキ１０から分離させることができる。このように構成しても上記実施例と同様の作用効果を奏する。
【００５５】
また、(ハ)図４(ｇ)に例示するように、断面がリング状の長尺部材であり、対向する一対の中央部分１３１ａ，１３１ｂと、一対の中央部分１３１ａ，１３１ｂを連結する両翼部分１３１ｃ，１３１ｄとから構成されている連結部材１３１を、両翼部分１３１ｃ，１３１ｄが、並列配置された長尺材１１を両側から押圧するよう配置させることが考えられる。この場合、連結部材１３１の中央部分１３１ａ，１３１ｂおよび両翼部分１３１ｃ，１３１ｄが協働して、パレット１の前後方向、パレット１の左右方向またはパレット１の上下方向の何れかへ長尺材１１が移動するのを規制する。また、連結部材１３１を上面デッキ１０から取り外せば、その取り外した連結部材１３１が押圧していた長尺材１１から順に長尺材１１を上面デッキ１０から分離させることができる。このように構成しても上記実施例と同様の作用効果を奏する。
【００５６】
なお、上述(ハ)の断面がリング状の連結部材１３１については、並列配置された長尺材１１との間に若干の隙間が生じるよう構成することが考えられる。この場合、連結部材１３１の中央部分１３１ａ，１３１ｂ、両翼部分１３１ｃ，１３１ｄ、前枠部材１２および後枠部材１３が協働して、中央部分１３１ａ，１３１ｂが、パレット１の上下方向へ長尺材１１が移動するのを規制するとともに、両翼部分１３１ｃ，１３１ｄが、パレット１の左右方向へ長尺材１１が移動するのを規制し、さらに、前枠部材１２および後枠部材１３がパレット１の前後方向へ長尺材１１が移動するのを規制する。なおこの場合、中央部分１３１ａ，１３１ｂは、上下方向移動規制部に該当する。また、両翼部分１３１ｃ，１３１ｄは、外側方向移動規制部に該当する。前枠部材１２および後枠部材１３は、長手方向移動規制部に該当する。
【００５７】
（５）上記実施例の連結棒１７の側面には雄ねじ部が形成されているが、これには限られず、例えば、図４(ｈ)に例示するように、連結棒１７の両端それぞれに雄ねじ部を互いに巻き方向が異なるよう形成し、左枠部材１４の連結棒挿通孔１４ｃの内壁、および右枠部材１５の連結棒挿通孔１５ｃの内壁それぞれに、連結棒１７の両端それぞれに形成された、互いに巻き方向が異なる雄ねじ部に対応する雌ねじ部を形成してもよい。この場合、上面デッキ１０を次のように組み立てる。すなわち、上述のように並列配置された長尺材１１の前側および後側に前枠部材１２および後枠部材１３をそれぞれ取り付けたのちに、左枠部材１４および右枠部材１５を上面デッキ１０の左側および右側にそれぞれ取り付ける前に、並列配置された長尺材１１の左側または右側から、上面デッキ１０の前側、中央部、後側において連通する連結棒挿通孔群へ連結棒１７を差し入れる。続いて、差し入れた連結棒１７の両端それぞれに、左枠部材１４の連結棒挿通孔１４ｃおよび右枠部材１５の連結棒挿通孔１５ｃが対向するように、左枠部材１４および右枠部材１５を、並列配置された長尺材１１に取り付ける。続いて、連結棒１７を所定方向に回転させると、連結棒１７の両端に形成された各雄ねじ部が、対向する左枠部材１４の連結棒挿通孔１４ｃおよび右枠部材１５の連結棒挿通孔１５ｃに取り付けられ、連結棒１７が、並列配置された長尺材１１を連結する。また、連結棒１７が、並列配置された長尺材１１を連結した状態において連結棒１７を逆方向に回転させると、連結棒１７の両端に形成された各雄ねじ部が、取り付けられた左枠部材１４の連結棒挿通孔１４ｃおよび右枠部材１５の連結棒挿通孔１５ｃから外れる。すると、左枠部材１４および右枠部材１５が、並列配置された長尺材１１から取り外し可能となる。このことにより、連結棒１７と左枠部材１４および右枠部材１５とをさらに容易に分解可能とすることができる。
【００５８】
（６）また、連結棒１７の側面に雄ねじ部を形成する代わりに、連結棒１７の両端それぞれに雌ねじ部を形成し、並列配置された長尺材１１における最も外側の一端または他端から、上面デッキ１０の前側、中央部、後側において連通する連結棒挿通孔群へ連結棒１７を差し入れ、差し入れた連結棒１７の両端にボルトなどを取り付けることにより、並列配置された長尺材１１を連結するようにしてもよい。このように構成しても上記実施例と同様の作用効果を奏する。
【００５９】
また、連結棒１７の両端それぞれに雌ねじ部を互いに巻き方向が異なるよう形成し、左枠部材１４および右枠部材１５それぞれに、連結棒１７の両端それぞれに形成されたねじ部に対応するねじ部を形成してもよい。このように構成すれば、上記別実施例（５）の場合と同様に、連結棒１７と左枠部材１４および右枠部材１５とをさらに容易に分解可能とすることができる。
【００６０】
（７）また、支柱３０についても同様に、支柱３０の両端それぞれに、雄ねじ部または雌ねじ部の何れかを互いに巻き方向が異なるよう形成することが考えられる。この場合、上面デッキ１０の下面に、支柱３０の両端それぞれに形成されたねじ部に対応するねじ部を形成する。なお、このことは、上面デッキ１０が、上述のように並列配置された長尺材１１を連結する構成である場合だけでなく、様々な構成の上面デッキに対しても同様に有効である。このように構成すれば、上記別実施例（５）の場合と同様に、支柱３０と上面デッキ１０をさらに容易に分解可能とすることができる。
【００６１】
（８）上記実施例では、パレット１を構成する各部材を金属で構成したが、これには限られず、パレット１を構成する各部材を金属で構成した場合のパレットの強度や耐用性が求められない用途であれば、パレット１を構成する各部材を例えば木材や樹脂材にて構成してもよい。
【図面の簡単な説明】
【００６２】
【図１】実施例のパレットを示す概略説明図である。
【図２】実施例のパレットの上面デッキを示す説明図である。
【図３】実施例のパレットの下面デッキおよび支柱を示す説明図である。
【図４】（ａ）は長尺材の別実施例を示す説明図（１）であり、（ｂ）は長尺材の別実施例を示す説明図（２）であり、（ｃ）は長尺材の別実施例を示す説明図（３）であり、（ｄ）は長尺材の別実施例を示す説明図（４）であり、（ｅ）は長尺材の別実施例を示す説明図（５）であり、(ｆ)は並列配置された長尺材を連結する構造の別実施例を示す説明図（１）であり、(ｇ)は並列配置された長尺材を連結する構造の別実施例を示す説明図（２）であり、(ｈ)は並列配置された長尺材を連結する構造の別実施例を示す説明図（３）であり、(ｉ)は並列配置された長尺材を連結する構造の別実施例を示す説明図（４）である。
【図５】別実施例のパレットを示す概略説明図である。
【符号の説明】
【００６３】
１，２…パレット、１０，１１０…上面デッキ、１１，１１１，１１２，１１３，１１４，１１５…長尺材、１１ａ…平板、１１ｂ…連結板、１１ｃ，１４ｃ，１５ｃ…連結棒挿通孔、１２，２３…前枠部材、１２ａ，１３ａ，１４ａ，１５ａ，１２１ａ，１３１ａ，１３１ｂ…中央部分、１２ｂ，１３ｂ，１４ｂ，１５ｂ，１２１ｂ，１３１ｃ，１３１ｄ…両翼部分、１２ｃ，１３ｃ、１４ｄ、１５ｄ，１６ａ，２１ａ，２２ａ…支柱挿通孔、１３，２５…後枠部材、１４，２１…左枠部材、１５，２２…右枠部材、１６…補強材、１７…連結棒、１８…ナット、２０，１２０…下面デッキ、２３ａ，２３ｂ，２４ａ，２４ｂ，２５ａ，２５ｂ…支柱取付孔、２４…中枠部材、２６…中間部材、３０…支柱、３０ａ，３０ｂ…先端部、１２１，１３１…連結部材、１４１…円管
【図１】
2005075440.tif 000003
【図２】
2005075440.tif 000004
【図３】
2005075440.tif 000005
【図４】
2005075440.tif 000006
【図５】
2005075440.tif 000007